(57)【要約】      （修正有）【課題】構造が簡単で加工コストが低減するペット用自動水飲み器を提供する。【解決手段】ペット用自動水飲み器は、貯水タンク１０と、貯水タンクのタンク口部に設けられた水飲みトレイ２０と、貯水タンク内に固定された照明付きウォーターポンプとを含む。水飲みトレイには吐水口２１が設けられ、吐水口は水管を介して照明付きウォーターポンプの出水口に接続される。水飲みトレイの下端には、貯水タンク内に位置する水濾過装置が設けられる。水濾過装置は、濾過トレイと、濾過トレイ内に収容された濾過ボックスとを含む。濾過トレイと濾過ボックスとの間にはナイロンメッシュが設けられる。水飲みトレイには、水濾過装置によって覆われる領域内に複数の水戻し口が設けられる。貯水タンクのケーシングにおいて、垂直な帯状の透明部材１１が設けられ、貯水タンク内の水位を見ることができる。【選択図】図１
0003221848.tif 000002
【実用新案登録請求の範囲】
【請求項１】
貯水タンク（１０）と、前記貯水タンク（１０）のタンク口部に設けられた水飲みトレイ（２０）と、前記貯水タンク（１０）内に固定された照明付きウォーターポンプ（３０）とを含むペット用自動水飲み器であって、
前記水飲みトレイ（２０）の端面は下方に凹んで水槽を形成し、前記水槽には吐水口（２１）が設けられ、前記吐水口（２１）は水管を介して前記照明付きウォーターポンプ（３０）の出水口に接続され、
前記水飲みトレイ（２０）の下端には、前記貯水タンク（１０）内に位置する水濾過装置（４０）が設けられ、前記水濾過装置（４０）は、濾過トレイ（４１）、前記濾過トレイ（４１）内に収容された濾過ボックス（４２）、及び前記濾過トレイ（４１）と前記濾過ボックス（４２）との間に設けられたナイロンメッシュ（４３）を含み、
前記水飲みトレイ（２０）には、水濾過装置（４０）によって覆われる領域内に複数の水戻し口（２２）が設けられ、
前記貯水タンク（１０）のケーシングにおいて、水平面に対して垂直な帯状の透明部材（１１）が設けられ、前記帯状の透明部材（１１）を通して前記貯水タンク（１０）内の水位を見ることができる、
ことを特徴とするペット用自動水飲み器。
【請求項２】
前記水飲みトレイ（２０）の縁部は、後方に延びて円弧状突起（２３）を形成する、ことを特徴とする請求項１に記載のペット用自動水飲み器。
【請求項３】
前記水飲みトレイ（２０）の下端には、前記水濾過装置（４０）を固定装着する固定ベース（２４）が設けられ、前記固定ベース（２４）の下端には、複数のＬ字形の係止部（２４１）が設けられ、前記濾過トレイ（４１）の上端側壁には、前記Ｌ字形の係止部（２４１）に位置合わせして係止する複数の突出ブロック（４１１）が設けられる、ことを特徴とする請求項１または２に記載のペット用自動水飲み器。
【請求項４】
前記吐水口（２１）のノズルは、逆三角形のオーバーフロー槽（２５）として設定される、ことを特徴とする請求項１乃至３のいずれか一項に記載のペット用自動水飲み器。
【請求項５】
前記照明付きウォーターポンプ（３０）は、前記貯水タンク（１０）の内室又はそのタンク本体に設けられる、ことを特徴とする請求項１乃至４のいずれか一項に記載のペット用自動水飲み器。
【請求項６】
前記貯水タンク（１０）の内底面には、前記照明付きウォーターポンプ（３０）と固定係止する突出ブロックベース（１２）が設けられ、前記貯水タンク（１０）の内側壁には突条（１３）が垂直に設けられる、ことを特徴とする請求項５に記載のペット用自動水飲み器。
【請求項７】
前記貯水タンク（１０）の底面には、少なくとも４つの滑り止め脚部（１４）と、前記滑り止め脚部（１４）内に収容されたＥＶＣ滑り止めマット（１５）とが均一に設けられる、ことを特徴とする請求項１乃至６のいずれか一項に記載のペット用自動水飲み器。
【請求項８】
前記水飲みトレイ（２０）の下端には、縁部に沿って延出端（２６）が１周設けられ、前記貯水タンク（１０）の内壁には複数の補強リブ（１６）が均一に設けられ、前記貯水タンク（１０）のタンク口部での前記補強リブ（１６）に係止溝（１７）が設けられ、前記延出端（２６）は、前記係止溝（１７）内に延びてそれと移動可能に係合する、ことを特徴とする請求項１乃至７のいずれか一項に記載のペット用自動水飲み器。
【請求項９】
前記貯水タンク（１０）の底面側には、円弧形凹溝（１８）が内側に凹んで設けられる、ことを特徴とする請求項１乃至８のいずれか一項に記載のペット用自動水飲み器。
【請求項１０】
前記ナイロンメッシュ（４３）は、８０メッシュの極細ナイロンメッシュである、ことを特徴とする請求項１乃至９のいずれか一項に記載のペット用自動水飲み器。
【考案の詳細な説明】
【技術分野】
【０００１】
本考案はペット用自動水飲み器に関する。
【背景技術】
【０００２】
人々の生活水準が徐々に向上するにつれて、ますます多くの人がペットを飼うようになってきている。ペットを飼う過程で、ペットの水飲みの問題を解決することは重要なプロセスの一つである。
現在、既存のペット水飲み器は、製品構造及び機能などの不完全な設計によって制限されているため、その実際の適用中において以下の問題を引き出す。１．水戻し濾過効果及び排水機能が悪く、ペットの脱落した毛や、くずなどにより水戻し口が詰まりやすいので、飲用水を適時に戻して濾過することができず、飲用水が水飲みトレイ内に蓄積又は溢れ、それによって、飲用水が汚染のために変質する。２．ペットの脱落した毛を濾過する機能がないか、又は濾過機能が悪すぎるため、ペットの飲用水の品質を保証することができず、ポンプが毛で詰まり、飼い主の作業負荷が増加することも多い。３．通常の構造の内部の水量を見るために飼い主は蓋を開ける必要があるため、飼い主は水飲み器内の水量状況を直観的に了解することができず、飼い主の作業負荷が増加する。４．機能が比較的単一であり、構造が比較的複雑であり、加工コストが高く、人々の実際のニーズを満たすことができないか、又はペットの自発的な水飲みの効果が低下する。
【考案の概要】
【考案が解決しようとする課題】
【０００３】
従来技術の欠点を克服するために、本考案は、構造が簡単で加工コストが低減するペット用自動水飲み器を提供する。そして、帯状の透明部材を設けることによって水飲み器内の水量状況を直観的に見ることができると同時に、水濾過装置内にナイロンメッシュを設けることによって、ペットの飲用水の品質が保証されるとともに、毛詰まりによるウォーターポンプの掃除周期及び使用寿命が改善される。
【課題を解決するための手段】
【０００４】
本考案の技術案は以下のとおりである。ペット用自動水飲み器は、貯水タンクと、貯水タンクのタンク口部に設けられた水飲みトレイと、貯水タンク内に固定された照明付きウォーターポンプとを含む。前記水飲みトレイの端面は下方に凹んで水槽を形成し、前記水槽には吐水口が設けられ、前記吐水口は水管を介して前記照明付きウォーターポンプの出水口に接続される。前記水飲みトレイの下端には、前記貯水タンク内に位置する水濾過装置が設けられる。前記水濾過装置は、濾過トレイ、前記濾過トレイ内に収容された濾過ボックス、及び前記濾過トレイと前記濾過ボックスとの間に設けられたナイロンメッシュを含む。前記水飲みトレイには、水濾過装置によって覆われる領域内に複数の水戻し口が設けられる。前記貯水タンクのケーシングにおいて、水平面に対して垂直な帯状の透明部材が設けられ、前記帯状の透明部材を通して前記貯水タンク内の水位を見ることができる。
【０００５】
好ましくは、前記水飲みトレイの縁部は、後方に延びて円弧状突起を形成する。
【０００６】
好ましくは、前記水飲みトレイの下端には、前記水濾過装置を固定装着する固定ベースが設けられる。前記固定ベースの下端には、複数のＬ字形の係止部が設けられ、前記濾過トレイの上端側壁には、前記Ｌ字形の係止部に位置合わせして係止する複数の突出ブロックが設けられる。
【０００７】
好ましくは、前記吐水口のノズルは、逆三角形のオーバーフロー槽として設定される。
【０００８】
好ましくは、前記照明付きウォーターポンプは、前記貯水タンクの内室又はそのタンク本体に設けられる。
【０００９】
好ましくは、前記貯水タンクの内底面には、前記照明付きウォーターポンプと固定係止する突出ブロックベースが設けられ、前記貯水タンクの内側壁には突条が垂直に設けられる。
【００１０】
好ましくは、前記貯水タンクの底面には、少なくとも４つの滑り止め脚部と、前記滑り止め脚部内に収容されたＥＶＣ滑り止めマットとが均一に設けられる。
【００１１】
好ましくは、前記水飲みトレイの下端には、縁部に沿って延出端が１周設けられる。前記貯水タンクの内壁には複数の補強リブが均一に設けられ、前記貯水タンクのタンク口部での前記補強リブに係止溝が設けられる。前記延出端は、前記係止溝内に延びてそれと移動可能に係合する。
【００１２】
好ましくは、前記貯水タンクの底面側には、円弧状凹溝が内側に凹んで設けられる。
【００１３】
好ましくは、前記ナイロンメッシュは、８０メッシュの極細ナイロンメッシュである。
【考案の効果】
【００１４】
従来技術に比べて、本考案は以下の効果を有する。
１．本考案は、前記貯水タンクケーシングに前記帯状の透明部材を設けることによって、飼い主は前記貯水タンク内の水位量の状況を明確に見ることができる。
２．本考案は、前記貯水タンク内に前記照明付きウォーターポンプを設けることによって、前記照明付きウォーターポンプの光が水に照射され前記帯状の透明部材を通して拡散されて、ペットが夜間に水を飲むのに便利で、照明がおぼろで眩しくない。
３．本考案は、前記水濾過装置内に前記ナイロンメッシュを追加することによって、水に脱落したペットの毛を前記ナイロンメッシュによりよく濾過し除去して、水を毛のないきれいな水にすることができる。ペットの飲用水の品質が保証されるとともに、毛詰まりによるウォーターポンプの掃除周期及び使用寿命が改善される。
４．本考案は、全体構造が簡単であり、外観が美しく、多種多様な機能があり、加工に便利であり、人々の要求効果を満たすことができ、加工コストを効果的に低減することができる。
【図面の簡単な説明】
【００１５】
【図１】本考案のペット用自動水飲み器の構造模式図である。
【図２】本考案のペット用自動水飲み器の分解模式図である。
【図３】本考案のペット用自動水飲み器の水飲みトレイの上面図である。
【図４】本考案のペット用自動水飲み器の貯水タンクの上面図である。
【図５】本考案のペット用自動水飲み器の貯水タンクの底面図である。
【考案を実施するための形態】
【００１６】
本考案の目的、技術案及び技術的効果をさらに明らかにするために、以下、具体的な実施形態を組み合わせて本考案を更に説明する。ここで述べた具体的な実施形態は、本考案を説明するためのものであり、本考案を限定するためのものではないことを理解するべきである。
【００１７】
図１乃至図５を参照すると、ペット用自動水飲み器では、貯水タンク１０と、前記貯水タンク１０のタンク口部に設けられた水飲みトレイ２０と、前記貯水タンク１０内に固定された照明付きウォーターポンプ３０とを含む。
【００１８】
前記水飲みトレイ２０の端面は下方に凹んで水槽を形成し、前記水槽には吐水口２１が設けられ、前記吐水口２１は水管を介して前記照明付きウォーターポンプ３０の出水口に接続される。前記水槽の下端には、前記貯水タンク１０内に位置する水濾過装置４０が設けられる。前記水濾過装置４０は、濾過トレイ４１、前記濾過トレイ４１内に収容された濾過ボックス（シート）４２、及び前記濾過トレイ４１と前記濾過ボックス４２との間に設けられたナイロンメッシュ４３を含む。前記水飲みトレイ２０には、水濾過装置４０によって覆われる領域内に複数の水戻し口２２が設けられる。前記照明付きウォーターポンプ３０は、ペットの飲用のために、前記水管を通して前記貯水タンク１０内の水を汲み上げ、前記吐水口２１から前記水飲みトレイ２０内に噴出させる。前記水飲みトレイ２０内の水は、前記水戻し口２２を通して前記水濾過装置４０内に流入し得る。まず、前記濾過トレイ４１により不純物を濾過し浄化して水をきれいにし、そして前記ナイロンメッシュ４３によりペットの脱落した毛を濾過し、二重に濾過された無毛のきれいな水が前記貯水タンク１０に戻る。前記照明付きウォーターポンプ３０により、水の品質を保証するために水を連続的に循環し濾過することができる。
【００１９】
さらに、図２を参照すると、前記水飲みトレイ２０の下端には、前記水濾過装置４０を固定装着する固定ベース２４が設けられる。前記固定ベース２４の下端には、複数のＬ字形の係止部２４１が設けられ、前記濾過トレイ４１の上端側壁には、前記Ｌ字形の係止部２４１に位置合わせして係止する複数の突出ブロック４１１が設けられる。前記突出ブロック４１１を前記Ｌ字形の係止部２４１内に挿入し、前記濾過トレイ４１を回転させて前記水濾過装置４０を前記水飲みトレイ２０の下端に固定装着することができる。それに対応して、前記突出ブロック４１１と前記Ｌ字形の係止部２４１の配置位置は、前記固定ベース２４の下端又は前記濾過トレイ４１の上端に設定することができ、それらは上下に対を成すように位置合わせして係合すればよい。ここで、本考案は一つずつに限定されない。前記濾過ボックス４２内には、活性炭やＰＰ棉などの濾過機能を有する物質が設けられ、不純物を濾過して水をきれいにする。前記ナイロンメッシュ４３は、８０メッシュの極細ナイロンメッシュであり、ペットの脱落した毛を濾過して、水を無毛のきれいな水質にする。ペットの飲用水の品質が保証されるとともに、毛詰まりによるウォーターポンプの掃除周期及び使用寿命が改善される。
【００２０】
さらに、図３及び図４を参照すると、前記吐水口２１のノズルは、逆三角形のオーバーフロー槽２５として設定される。前記照明付きウォーターポンプ３０は、前記貯水タンク１０から水を汲み上げ、前記吐水口２１から噴出させて一定の水圧とする。前記オーバーフロー槽２５の合理的なサイズ及び形状を設計することによって、水が噴出される高さを制御して、水が水飲み器外に飛散しないように、水を前記水飲みトレイ２０内に噴入することができる。この設計はまた、ペットの飲水の興味を引き付けるように、湧き水の状態で水を噴出させる。前記水飲みトレイ２０の縁部は、後方に延びて円弧状突起２３を形成する。前記円弧状突起２３により、飼い主は前記水飲みトレイ２０を手で持ち、それを前記貯水タンク１０上から取り出すか又は入れることが容易になる。また、前記円弧状突起２３に隣接する前記水飲みトレイ２０内に前記吐水口２１を設けることにより、水が水飲み器外に飛散するのを効果的に防止することもできる。前記貯水タンク１０の底面側には、円弧形凹溝１８が内側に凹んで設けられる。前記円弧形凹溝１８の上端には、前記貯水タンク１０内と連通する開口１９が設けられる。前記開口１９は、前記照明付きウォーターポンプ３０の電気的な接続線が通過して外部電源を接続することを容易にする。前記円弧形凹溝１８は、飼い主が手を挿入して前記貯水タンク１０を持ち、前記貯水タンク１０にペット飲用水を加えることを容易にする。
【００２１】
図２を参照すると、前記貯水タンク１０のケーシングには、水平面に対して垂直な帯状の透明部材１１が設けられる。前記帯状の透明部材１１により、飼い主は前記貯水タンク１０内の水位状況を明確に見ることができるので、飼い主は水飲み器内の水量を直観的に了解し、水飲み器内に十分な水があることを保証するために、適量の水を追加することができる。また、前記照明付きウォーターポンプ３０（従来技術に属するものであり、詳細な説明は省略する）の光が水中に照射されて帯状の透明部材１１を介して拡散されて、ペットが夜間に水を飲むのに便利で、光がおぼろで眩しくない。この光により、水飲み器全体はおぼろな美感を呈する。
【００２２】
図４を参照すると、前記照明付きウォーターポンプ３０は、前記貯水タンク１０の内室又は前記貯水タンク１０上に選択的に配置することができる。好ましくは、前記照明付きウォーターポンプ３０を前記貯水タンク１０に配置し、前記照明付きウォーターポンプ３０のスイッチを前記貯水タンク１０から露出させることによって、前記貯水タンク１０の外部で前記照明付きウォーターポンプ３０をオン／オフすることができ、使い勝手がよい。
【００２３】
さらに、図２、図４及び図５を参照すると、前記貯水タンク１０の内底面には、前記照明付きウォーターポンプ３０と固定係止する突出ブロックベース１２が設けられ、前記貯水タンク１０の内側壁には突条１３が垂直に設けられる。前記突出ブロックベース１２の上端には、最低水位のマークＭｉｎが設けられ、前記突条１３の上端には、最高水位のマークＭａｘが設けられる。それにより、飼い主は水飲み器の水量を了解しやすく、水飲み器は適切な使用状態にあることが保証される。前記貯水タンク１０の底面には、少なくとも４つの滑り止め脚部１４と、前記滑り止め脚部１４内に収容されたＥＶＣ滑り止めマット１５とが均一に設けられる。前記ＥＶＣ滑り止めマット１５は、水飲み器と地面との間の摩擦力を増加させて、前記水飲み器がペットにひっくり返されにくくする。前記水飲みトレイ２０の下端には、縁部に沿って延出端２６が１周設けられる。前記貯水タンク１０の内壁には複数の補強リブ１６が均一に設けられ、前記貯水タンク１０のタンク口部での前記補強リブ１６に係止溝１７が設けられる。前記延出端２６は、前記係止溝１７内に延びてそれと移動可能に係合する。この移動可能な係合方法により、前記水飲みトレイ２０を前記貯水タンク１０に安定的に接続することができる。前記補強リブ１６は、前記貯水タンク１０の強度を向上させることができる。前記貯水タンク１０及び前記水飲みトレイ２０はいずれも一体成形構造（例えば、プラスチック金型成形などにより）を採用するので、本考案によるペット用自動水飲み器は、全体構造が簡単であるとともに、外観が美しい。加工が便利で、加工コストが効果的に低減される。
【００２４】
以上の内容は具体的かつ好適な実施形態に結合して本考案について更に詳しく説明したものであり、本考案の具体的な実施がこれらの説明に限定されるものではない。当業者であれば、本考案の構想から逸脱しない前提で、その架設構造の形式を柔軟に多様化させることが可能であり、一連の製品を派生することができる。若干の簡単な修正又は置換を行っただけのものについては、本考案の実用新案登録請求の範囲で確定されている保護範囲に属するものであると見なすべきである。
【符号の説明】
【００２５】
１０…貯水タンク、１１…帯状の透明部材、１２…突出ブロックベース、１３…突条、１４…滑り止め脚部、１５…ＥＶＣ滑り止めマット、１６…補強リブ、１７…係止溝、１８…円弧形凹溝、１９…開口、２０…水飲みトレイ、２１…吐水口、２２…水戻し口、２３…円弧状突起、２４…固定ベース、２５…オーバーフロー槽、２６…延出端、３０…照明付きウォーターポンプ、４０…水濾過装置、４１…濾過トレイ、４２…濾過ボックス、４３…ナイロンメッシュ、２４１…Ｌ字形係止部、４１１…突出ブロック。
【図１】
0003221848.tif 000003
【図２】
0003221848.tif 000004
【図３】
0003221848.tif 000005
【図４】
0003221848.tif 000006
【図５】
0003221848.tif 000007